Podtech/llm-jp-corpus-v4-ja_patent huggingface dataset:
(57)【要約】【課題】製造コストを抑制することのできる赤外線撮像モジュールを提供する。【解決手段】赤外線撮像素子Ｂ１と、記憶装置Ｂ３と、画像演算装置Ｂ４と、処理装置Ｂ２と、製造の工程内にて赤外線撮像素子Ｂ１からの不均一な赤外線画像データを使用時に補正するための補正データを記憶装置Ｂ３に格納する工程とを備えてなる赤外線撮像モジュール。【選択図】図２
2017211354.tif 000002
【特許請求の範囲】
【請求項１】
赤外線撮像素子と、記憶装置と、画像演算装置と、処理装置と、製造の工程内にて赤外線撮像素子からの不均一な赤外線画像データを使用時に補正するための補正データを記憶装置に格納する工程とを備えてなる赤外線撮像モジュール。
【発明の詳細な説明】
【技術分野】
【０００１】  本発明は、画素間の補正を行った赤外線撮像モジュールに関する。
【背景技術】
【０００２】  赤外線を利用した赤外線撮像素子は、昼夜に拘わらず撮像可能であると共に、被写体の温度情報をも得られるという特長を有する。このため、監視カメラや火災検知カメラとして広い応用範囲を有する。【０００３】  赤外線撮像素子は、半導体集積回路製造技術を用いることで、比較的安価で大量に製造できる反面、製造上の誤差が起因で、各画素から出力される電気信号によるデータは、不均一である欠点があり、実用上不十分である。【０００４】  各画素から出力される不均一な電気信号によるデータを補正する方法は、赤外線撮像素子を利用したカメラを使用する際、都度カメラに内蔵された基準とする熱源を計測させた後に、画像演算装置にて補正する方法がなされる（特許文献１）。【０００５】  上記のように赤外線撮像装置は可視光撮像装置と比較して、不均一な各画素から出力される電気信号によるデータを補正する装置が追加となるため、赤外線撮像装置のコストは非常に高く、市場規模の拡大が遅れている要因の一つであった。
【先行技術文献】
【特許文献】
【０００６】
【特許文献１】  特開２００９−２０７０７３号公報
【発明の概要】
【発明が解決しようとする課題】
【０００７】  本発明の目的は、製造コストを抑制することのできる赤外線撮像モジュールを提供することである。
【課題を解決するための手段】
【０００８】  本発明の赤外線撮像モジュールは、赤外線撮像素子と、記憶装置と、画像演算装置と、処理装置と、製造の工程内にて赤外線撮像素子からの不均一な赤外線画像データを使用時に補正するための補正データを記憶装置に格納する工程とを備えてなることを特徴とする。
【発明の効果】
【０００９】  赤外線撮像モジュールを使用することで、従来の赤外線撮像装置に比べ、安価な構成でよく、またその他の装置が不要となるため、自由度の高い設計が可能である。
【図面の簡単な説明】
【００１０】
【図１】  赤外線撮像モジュールの構成を示した図面である。
【図２】  製造の工程内において、補正データを記憶装置に格納する際の説明図である。
【図３】  補正データによって、赤外線撮像モジュールを動作させる説明図である。
【発明を実施するための形態】
【００１１】  以下、本発明を図面を参照して具体的に説明する。
【００１２】  図１は、赤外線撮像モジュール構成を示した図面であり、赤外線撮像素子Ａ１、記憶装置Ａ３、画像演算装置Ａ４、および処理装置Ａ２を同一電子基板Ａ６上に配置し、補正された赤外線撮像素子からの電気信号によるデータは、信号出力端子Ａ５を通して外部に出力される。
【００１３】  図２は、製造の工程内において、補正データを記憶装置に格納する際の説明図である。赤外線撮像素子Ｂ１が、任意の赤外線光源からの画像を受像し、電気信号によるデータに変換された後、処理装置Ｂ２へ入力され、画像演算装置Ｂ４も利用し、補正データを演算した後、記憶装置Ｂ３へ格納される。この工程については製造時のみであり、赤外線撮像モジュールを使用する際には行わない。
【００１４】  図３は、補正データによって、赤外線撮像モジュールを動作させる説明図である。赤外線撮像素子Ｃ１が、測定を行いたい赤外線光源からの画像を受像し、電気信号によるデータに変換された後、処理装置Ｂ２へ入力され、記憶装置Ｃ３に格納した補正データを使用した補正のための演算を、処理装置Ｃ２および画像演算装置Ｃ４にて行い、均一な画像データとしたものを、信号出力端子Ｃ５にて、赤外線撮像モジュールの外部へ提供する。
【符号の説明】
【００１５】Ａ１  赤外線撮像素子
Ａ２  処理装置
Ａ３  記憶装置
Ａ４  画像演算装置
Ａ５  信号出力端子
Ａ６  電子基板
Ｂ１  赤外線撮像素子
Ｂ２  処理装置
Ｂ３  記憶装置
Ｂ４  画像演算装置
Ｃ１  赤外線撮像素子
Ｃ２  処理装置
Ｃ３  記憶装置
Ｃ４  画像演算装置
Ｃ５  信号出力端子
【図１】
2017211354.tif 000003
【図２】
2017211354.tif 000004
【図３】
2017211354.tif 000005
(57)【要約】【課題】経済的にマウスデバイスを保持できるマウス保持具を提供すること。【解決手段】机に配置されたマウスパットの近傍において、机に取り付けられている一つ又は複数の磁石と、マウスの底面に取り付けられている板状の磁性体と、を備えたマウス保持具であり、傾斜した机で用いられ、一端がマウスパットより上方において机に接続されており、他端がマウスの先端側に取り付けられている磁性体に接続されており、伸縮自在に形成されている紐を備える請求項１に記載のマウス保持具とする。【選択図】図１
2017211732.tif 000002
【特許請求の範囲】
【請求項１】
机に配置されたマウスパットの近傍において、机に取り付けられている一つ又は複数の磁石と、マウスの底面に取り付けられている板状の磁性体と、を備えたマウス保持具。
【請求項２】
傾斜した机で用いられ、一端がマウスパットより上方において机に接続されており、他端がマウスの先端側に取り付けられている磁性体に接続されており、伸縮自在に形成されている紐を備える請求項１に記載のマウス保持具。
【発明の詳細な説明】
【技術分野】
【０００１】
マウス保持具に関する。
【背景技術】
【０００２】
特許文献１に、パッドの角度やユーザが接触を感知するセンサー等の操作により、電磁石で磁力の強度をコントロールして、マウスを電磁石の磁気的引力によりマウスを保持する技術が開示されている。
【先行技術文献】
【特許文献】
【０００３】
【特許文献１】特開２０１１−１８７０８２号公報
【発明の概要】
【発明が解決しようとする課題】
【０００４】
しかしながら、特許文献1の技術は機構が複雑で部品数が多く、また、電気を常に必要があり不経済であった。
本発明は、経済的にマウスデバイスを保持できるマウス保持具を提供することを目的とする。
【課題を解決するための手段】
【０００５】
机に配置されたマウスパットにおいて、
マウスパットに上部とマウスパットの下部に貼り合わされている、ひとつと、
マウスの脚部の縊れ状のと、を備えたてマウス保持具。
【０００６】
傾斜した机で用いられ、一端がマウスパットより上方において机に接続されており、他端がマウスの先端側に取り付けられている磁性体に接続されており、伸縮自在に形成されている紐を備える請求項１に記載のマウス保持具。
【発明の効果】
【０００７】
経済的にマウスデバイスを保持できるマウス保持具を提供できる。
【図面の簡単な説明】
【０００８】
【図１】本発明の実施形態を示す図であって、マウス保持具１を説明する図である。
【図２】本発明の実施形態を示す図であって、図１に示すマウス定位置Ａ−Ａ断面図である。
【図３】本発明の実施形態を示す図であって、図１に示すマウス移動中Ｂ−Ｂ断面図である。
【発明を実施するための形態】
【０００９】
マウス保持具１は、机に配置された、マウスパット９の近傍において、机の天板１０に取り付けられている、一つ又は複数の磁石６と、マウス１００の底面３に取り付けられている、板状の磁性体３と、備える。磁性体３は、マウス脚部４の高さより、小さい寸法の厚みで形成されている。
【００１０】
さらに、マウス保持具１は、机に配置されたマウスパット９の近傍において、机に一つまたは複数取付けられ、内部に防音用の液体が充満され、液体の中で板状又は円柱状の磁石６が自由に浮遊する磁石ホルダー２を備える。磁石ホルダー２は、マウスパット９の厚さと同一又はマウスパット９の厚さより薄い厚みで形成されている。
このような、マウス保持具１は、机の天板９の複数位置に、磁石６を内蔵する磁石ホルダー２を接着材で固定し、マウス底面４に、磁性体３を接着材で貼り付ける。
これにより、磁石ホルダー２の内部で浮遊する磁石６が、磁性体３の接近に感応して、磁性体３に対する磁石６の吸着時衝撃音も、静寂を保ち、確実にマウス２を保持できる。
このためマウス保持具1は、多様な状況で使用可能である。      
【００１１】
また、マウス保持具１は、傾斜した机で用いられ、マウス１００は一端がマウスパット９より上方において、机の天板１０に紐受金８を経て接続されており、他端がマウスの先端に接続された、伸縮自在に形成されている紐７を、備える。  
このような、マウス保持具１は、マウス底部５に貼りつけた磁性体３の先端に形成された孔３Ａに、ゴム製の紐７のループ状に形成した一方の端部を接続し、もう一方の端部を、天板１０に接着した紐受金８に引っ掛ける。孔３Ａには、ハトメが設けられている。
これにより、マウス１００が重力により机上から落下することが防止できるので、騒音の発生やマウス１００の破損を防止できる。
なお、紐７は、ゴムの代りにコイル状ばね内蔵のケース紐にしてもよい。
【符号の説明】
【００１２】
１      マウス保持具  
２      磁石ホルダー 
３      磁性体
３Ａ    孔
４      マウス脚部  
５      マウス底部
６      磁石            
７      紐（両端部がループ状処理）  
８      紐受金  
９      マウスパット      
１０    机の天板
１００  マウス
【図１】
2017211732.tif 000003
【図２】
2017211732.tif 000004
【図３】
2017211732.tif 000005
【手続補正書】
【提出日】平成29年9月26日(2017.9.26)
【手続補正１】
【補正対象書類名】特許請求の範囲
【補正対象項目名】全文
【補正方法】変更
【補正の内容】
【特許請求の範囲】
【請求項１】
机に配置されたマウスパットの近傍において、机に取り付けられている一つ又は複数の磁石と、マウスの底面に取り付けられている板状の磁性体と、  傾斜した机で用いられ、一端がマウスパットより上方において机に接続されており、他端がマウスの先端側に取り付けられている磁性体に接続されており、伸縮自在に形成されている紐と、を備えるマウス保持具。
(57)【要約】      （修正有）【課題】より強力にイカを誘引するイカ釣り用疑似餌の提供。【解決手段】水の抵抗を受けて、軸回転する機能を持たせたイカ釣り用疑似餌の構造は、▲３▼の軸となる部品の上部の輪に、釣り竿に繋がる釣り糸を結んでおり、下側の輪にはオモリへと繋がる釣糸が結んである。釣り竿側から上へ上げると、▲２▼矢視の部分に水流が当たり、プロペラのように軸回転する。このことにより生じる振動と視覚的、色調的変化で疑似餌に生命感を与えることができる。【選択図】図１
2017212969.tif 000002
【特許請求の範囲】
【請求項１】
軸回転する部品を含んだイカ釣り用疑似餌
【請求項２】
イカ釣り用疑似餌用の軸回転部品
【請求項３】
軸回転する部品が取りつくイカ釣り用疑似餌
【請求項４】
軸回転するイカ釣り用疑似餌
【発明の詳細な説明】
【技術分野】
【０００１】本発明はイカ釣り用疑似餌に関する
【背景技術】
【０００２】従来、イカツノやスッテと呼ばれるイカ釣り用の疑似餌があり、主に樹脂製で、３ミリ〜１０ミリ程の太さ、３センチ〜２０センチ程の長さの棒状の無垢材である。棒状の上部先端に釣り糸を結ぶ穴が開いていて、下部先端にカンナ針という針十本程が、傘の骨を逆さまにしたような状態で装着されており、その針にイカを引っ掛けて釣る。
【先行技術文献】
【特許文献】
【０００３】
【特許文献１】  特開２０１１−９２１７３号公報
【発明の概要】
【発明が解決しようとする課題】
【０００４】従来のイカ釣り用の疑似餌は、形や長さ、内部に気泡や液体が入るなどで他との違いを作っていたが、水の抵抗を受けて動きを著しく変化させ、イカを誘引するものがなかった。本発明は、水の抵抗を受けた本発明品が、視覚的、及び動きと振動で、イカに本発明品の位置を認識させ、誘引する。
【課題を解決するための手段】
【０００５】本発明は、水の抵抗を受けて軸回転する部品をイカ釣り用疑似餌に搭載する。
【発明の効果】
【０００６】本発明により、回転運動する部品を有することでイカ釣り用疑似餌は、ただ仕掛けを巻き上げるだけで回転部品が水の抵抗を受けて回転し、振動と動きと視覚的変化により、イカに捕食される生き物のような生命感を演出してイカを誘引できる。
【図面の簡単な説明】
【０００７】
【図１】図▲１▼は樹脂製のボディであり、プロペラのような形状の上部で水の抵抗を受ける。
【図１】図▲２▼は真上からの矢視図
【図１】図▲３▼は上から下まで貫通してるワイヤー、又は棒状の樹脂で、軸回転の軸
【図１】図▲４▼はイカを掛けるカンナ針
【図１】図▲５▼は回転を滑らかにするビーズ
【図２】図２は本体に回転部品が入り込んでいて、横軸により水車のように横回転する構造のもの。
【図３】図３は本体内部に軸回転するプロペラが格納されていて、上部の穴より取り入れた水の流れで軸回転させる構造のもの。
【図４】図４は一部のみ回転する部品がついている構造のもの。
【発明を実施するための形態】
【０００８】本発明について詳細に説明する。本発明は、イカ釣り用疑似餌に軸を通した回転運動する部品を加えることで、従来品よりも効率良くイカを誘引する。
従来品は色や形を以って視覚的、微量な動きの違いを付け、可動部などは無く、激しく釣り竿をシャクリ上げたり、オモリを海底にコツコツと連続で叩きつけたりなどして、イカを誘引している。
本発明を用いれば、本発明を含む仕掛けを巻き上げる、あるいは上下させるだけで、本発明を施したイカ釣り用疑似餌の回転部が水の抵抗を受けて回転し、視覚的に加えて振動でイカを強力に誘引する。
このことにより、従来品におけるイカを誘う動作の軽減ができる上に、誘う動作、例えば釣り竿をしゃくり上げる、海底にオモリを叩きつける等の動作の間に曖昧になる、イカがイカ釣り用疑似餌に触腕で触る等したときのアタリ（釣り竿から振動で伝わる感触）を感じ取り易くする。これは、仕掛けを巻き上げる時の動作が即ち本発明品に水の抵抗を加えることであり、その動作が釣りにおける「聞きあわせ」という動作と平行して行われるからである。「聞きあわせ」とは、竿先から延びる仕掛けの先端までの釣り糸を、リールで巻き上げたり、釣り竿を立てるなどして、ピンと張った状態を作り、仕掛けに触れられる感触を感じ取り易くする方法である。
【実施例】
【０００９】本発明の実施例について説明する。
図１の▲３▼を使い、上下の輪に釣り糸を結び、下の釣り糸の先にはオモリを付けた。
上部に結んだ釣り糸を持ち、１メートル程の深さの浴槽に沈めた。
本発明品の回転する様子がわかり易いように、水の抵抗を捉える羽（図▲２▼）の片側に目印のシールを貼った。
水面側に引っ張ると、本発明品はクルクルと回転しながら上がってきた。
空気中でも風を当てて回転実験をしていて、それよりもゆっくり回るようだが、素材の比重や形状、上に上げる速度で調整できる。
明らかに従来品よりも生命感を演出し易い。
2017212969.tif 000003
【符号の説明】▲１▼本発明品回転部品
▲２▼矢視図
▲３▼目印のシール
▲４▼オモリ
▲５▼回転を表す矢印
▲６▼上に上がる方向を表す矢印
【図１】
2017212969.tif 000004
【図２】
2017212969.tif 000005
【図３】
2017212969.tif 000006
【図４】
2017212969.tif 000007
(57)【要約】【課題】本発明は、半導体装置内部で異常が生じた際に容易に分解できる構造の有機保護膜を有する半導体装置に関する。【解決手段】有機保護膜の中に、他の領域より分子量の低い領域を平面視において環状に形成する。分子量の低い保護膜は、分子量の高い保護膜に比べてガス化しやすく、プラズマエッチングなどにおいて、エッチングレートが早い。この差を用いて分子量の高い有機保護膜でパターンを形成し、これをマスクにし、半導体装置内部における局所的なエッチングを可能にする。【選択図】図３
2017212248.tif 000002
【特許請求の範囲】
【請求項１】
半導体装置表面の有機保護膜において、分子量の高い有機保護膜の中に分子量の低い有機保護膜の領域が平面視において環状に存在することを特徴とする半導体装置。
【請求項２】
前記分子量の高い有機保護膜の分子量が、前記分子量の低い有機保護膜の分子量の1000倍以上であることを特徴とする請求項１に記載の半導体装置。
【請求項３】
前記有機保護膜が、ポリベンゾオキサゾールであることを特徴とする、請求項１〜３のいずれか1項に記載の半導体装置。
【発明の詳細な説明】
【技術分野】
【０００１】
本発明は、半導体装置の一部を容易に分解し得る構造の有機保護膜を有する半導体装置に関する。
【背景技術】
【０００２】
半導体装置に特性異常が生じた場合、一部を分解し、異常個所を正確に短時間で特定するための技術が要求されている。
【先行技術文献】
【特許文献】
【０００３】
【特許文献１】特開２０１１−９１１３０号公報
【発明の概要】
【発明が解決しようとする課題】
【０００４】
多層配線構造の半導体装置では、半導体装置の内部で特性異常が生じた場合、異常発生個所を確認するため半導体装置の一部分を分解する。しかし、このように一部の特定の箇所を分解することが技術的に困難であった。
【０００５】
本発明は、上記問題点を解決し、半導体装置内部で異常が生じた際に、容易に解析が必要な一部を分解できる構造の有機保護膜を有する半導体装置に関する。
【課題を解決するための手段】
【０００６】
半導体装置の表面に存在する、有機保護膜の中に、他の有機保護膜領域より分子量の低い有機保護膜領域を環状に形成する。
【発明の効果】
【０００７】
本発明によれば、半導体装置の一部を容易に分解できる。
【図面の簡単な説明】
【０００８】
【図１】従来の半導体装置の断面構造である。
【図２】従来の半導体装置の平面図である。
【図３】本発明の半導体装置の断面構造である。
【図４】本発明の半導体装置の平面図である。
【発明を実施するための形態】
【０００９】
以下、本発明の実施の形態となる構造について説明する。
【実施例１】
【００１０】
従来の半導体装置の断面図を図１に、平面図を図２に示す。また、本発明の実施例1に係る構造の断面図を図３に、平面図を図4に示す。図１に示すように、従来構造では半導体装置の表面を均一な材質の有機保護膜１が覆っている。一方、本発明の構造においては、図３に示すように、有機保護膜１の中に、局所的に、有機保護膜１と比較して分子量の低い有機保護膜９が存在する。この有機保護膜９は、図４に示すように、環状の構造をしている。このように半導体装置の有機保護膜１内部に、局所的に、環状の、有機保護膜１と比較して、低分子量の有機保護膜９を設けることで、半導体装置を局所的に容易に分解できる。ここで、本発明の構造の半導体装置を用いて、局所的に低分子量の環状の有機保護膜で囲まれた領域を分解する方法について説明する。低分子量の有機保護膜９は、他の有機保護膜と比較して、ガス化しやすく、プラズマエッチングなどを行う場合、分子量の高い有機保護膜より、分子量の低い有機保護膜のほうが、エッチングが早く進むという特徴を有する。
従って本発明の半導体装置をプラズマエッチング法を用いて、例えばCF4ガス、CHF3ガス、O2ガスなどで一定時間エッチングする場合、エッチングレートの速い低分子量の有機保護膜９がすべてエッチングされ、下地の半導体層が露出し、有機保護膜９のみが残る。残った有機保護膜をマスクにして、半導体装置の一部の局所領域をエッチングできる。また、分子量の高い有機保護の分子量は、分子量の低い有機保護膜の分子量の1000倍以上であることが望ましい。1000倍以下だと、エッチング速度があまり変わらなく、パターンを形成できなくなる。尚、分子量の高い保護膜の中に分子量の低い保護膜領域を作るには、例えばレーザーを局所領域に照射する手法がある。また、有機保護膜として使う材料としては、加工がしやすく、半導体装置の保護膜として実績がある、ポリベンゾオキサゾールが好ましい。また、有機層間絶縁膜を有する多層配線構造の半導体装置を容易に分解するには、有機層間絶縁膜の中に気泡を入れて分解を速くしたり、有機層間絶縁膜と金属膜との接点において、接触する面積を少なくして半導体層の分解を速める方法がある。
【符号の説明】
【００１１】
１、有機保護膜（高分子量）
２、Au
３、Ni
４、Cu
５、Ti/Cu
６、層間絶縁膜
７、SiN
８、下部回路
９、有機保護膜（低分子量）
【図１】
2017212248.tif 000003
【図２】
2017212248.tif 000004
【図３】
2017212248.tif 000005
【図４】
2017212248.tif 000006
(57)【要約】【課題】  従来の減速帯（通行する車両の減速を促すために起伏あるいは段差を道路上に施したもの）は交通安全のためのものであったが、これに発電機を組み込むことによって、車両の通行によって電気を作るシステムを提供することを課題とする。【解決手段】  通行する車両が発電減速帯システムの上に乗ると、車両の重量により下に押すエネルギーが発生し、可動式踏み台（１）が回転軸（２）を軸に下に移動する。次に可動式踏み台（１）がギア（３）を回転させ、内部にある発電機（４）を稼働させることによって電力をつくる。【選択図】図１
2017212862.tif 000002
【特許請求の範囲】
【請求項１】
発電減速帯システムは減速帯（通行する車両の減速を促すために起伏あるいは段差を道路上に施したもの）に発電機を組み込み、車両が減速帯の上を通過する際に生じる下に押すエネルギーを利用して発電機を稼働させて電気をつくる発電システムである。
【発明の詳細な説明】
【技術分野】
【０００１】  本発明は、速度が出やすく危険なカーブ付近、学校の通学路や細い道、駐車場など、通行する車両の減速を促す場所に設置する減速帯に発電システムを取り付けた発電機に関するものである。
【背景技術】
【０００２】  従来の減速帯は通行する車両の減速を促すために起伏あるいは段差を施したもので、交通安全のためのものであった。【０００３】  速度が出やすい危険なカーブ付近、学校の通学路や細い道、駐車場など、通行する車両の減速を促す減速帯に発電システムを取り付けることによって多くの場所に発電機を設置することが可能なり、設置場所の確保が容易にできる。また、車両の通行によって電気が生まれる仕組みであるため、これからの環境問題におけるエネルギーの確保に対する解決策としても期待できる。
【先行技術文献】
【特許文献】
【０００４】
【特許文献１】  特開２００５−１８０４１０号公報
【非特許文献】
【０００５】
【非特許文献１】  中村昌弘著  「自分で作る自家発電」  総合科学出版２０１３年
【発明の概要】
【発明が解決しようとする課題】
【０００６】  解決しようとする問題は、今まで活用されていなかったエネルギーから電力を作る点であり、車両の通行によって電気をつくるシステムを提供することを課題とする。
【課題を解決するための手段】
【０００７】  通行する車両の減速を促すための減速帯に発電システムを取り付ける。車両が減速帯の上に乗ると、車両の重量により下に押すエネルギーが加わり、踏み台部分が下に移動することによって内部にある発電機が電力をつくる。
【発明の効果】
【０００８】本発明の発電減速帯システムは、速度が出やすい危険なカーブ付近、学校の通学路や細い道、駐車場など、通行する車両の減速を促す多くの場所に設置することができる。また、車両の通行によって電気が生まれる仕組みであるため、これからの環境問題におけるエネルギーの確保に対する解決策としても期待できる。
【図面の簡単な説明】
【０００９】
【図１】  車両が発電減速機に乗っていない時のアイソメ図と乗っている時の図アイソメ図である。
【図２】  図１の断面図である。
【発明を実施するための形態】
【００１０】  以下、本発明の実施の形態について説明する。
（イ）、車両が発電減速帯システムの上に乗ると車両の重量により、下に押すエネルギーが発生して可動式踏み台（１）が回転軸（２）を軸に下に移動する。
（ロ）、可動式踏み台（１）が下に移動すると、ギア（３）が回転する。
（ハ）、ギア（３）が回転することにより、発電機（４）が稼働し発電する。
【産業上の利用可能性】
【００１１】  今まで活用されていなかったエネルギーから電力を作る点で、これからの環境問題におけるエネルギーの確保に対する解決策としても期待できる。
【符号の説明】
【００１２】１    加重で力を伝える可動部（１）
２    回転軸（２）
３    ギア（３）
４    発電機（４）
【図１】
2017212862.tif 000003
【図２】
2017212862.tif 000004
(57)【要約】      （修正有）【課題】使用済みシート等を安全、且つ、簡単、迅速、効率的に短時間で凝縮して回収、リサイクル又は廃棄出来る、小型軽量の持ち運びが便利な、シート回収器を提供する。【解決手段】回転ドリルチャック等に取り付けて使用する、シート回収器は、先端には呼び込みネジ２、その奥には引掛け爪３、引き込み溝４、から成り、その外周には安全カバー１が取り付けてあり、必要以上の巻き込み引き込み絡みを防ぎ、安全作業が行えるようになっている、ドリルチャックに取付け可能にした軸５の構成となっているシート回収器。【選択図】図１
2017212895.tif 000002
【特許請求の範囲】
【請求項１】
先端部に呼び込みネジ２、引掛け爪３、引き込み溝４、いずれかを有するドリル形状のシート回収器
【請求項２】
外周に安全カバー１を設けた請求項１記載のシート回収器
【発明の詳細な説明】
【技術分野】
【０００１】
本発明は、農業ハウスのビニールシート・マルチシート・防草シート等（以下シートと呼ぶ）におけるシートの回収に関する。
【背景技術】
【０００２】
従来、農業ハウス、作物のシート等に使用された使用済みの廃棄シートは、ドラムに巻くか、折りたたまれて回収し廃棄されている。
【０００３】
しかし、この使用済みシートの回収廃棄作業は、多くの作業時間、労働力を要し農業ハウスから取り外す場合空気を含み、又、少しの風によってはらむ危険が伴う作業であるため多くの問題点があった。
【０００４】
また、ドラム巻では装置移動が不便で、シート内に多く含まれた空気を抜く場合時間がかかるため簡単には縮小出来ず嵩張る、発明の目的は、使用済みシートを大きな働力を必要とせずに、短時間でコンパクトな状態に凝縮して回収する、農業ハウス等の使用済みシート回収を簡単にするシート回収器提供することにある。
【先行技術文献】
【特許文献】
【０００５】
【特許文献１】特開平１０−２０３６９６号公報
【発明の概要】
【発明が解決しようとする課題】
【０００６】
使用済みシート等を安全、且つ、簡単、迅速、効率的に短時間で凝縮して回収廃棄出来る、小型軽量の持ち運びが便利な、シート回収器を提供する。
【課題を解決するための手段】
【０００７】
上記目的を達成するために本発明は、回転ドリルチャック等に取り付けて使用する、シート回収器は、先端に呼び込みネジ２、その奥に引掛け爪３、引き込み溝４、から成り、その外周には安全な作業が行えるように安全カバー１が取り付けてあり、ドリルチャックに取付け可能にした軸５の構成となっているシート回収器を提供する。
【発明の効果】
【０００８】
呼び込みネジ２、引掛け爪３、引き込み溝４、の構成となって、どの単体部位によってもシート巻き付けが可能であるが、２，３，４により巻き付け絡みを強くする。
【０００９】
また、安全カバー１は回転ブレ等により作業員の指等が巻き込まれる恐れを防ぐのと前記２，３，４によって必要以上の巻き込み引き込みを防ぎ、使用済みシート等を安全、且つ、簡単、迅速、効率的に短時間で凝縮して回収リサイクル又は廃棄出来る。
【図面の簡単な説明】
【００１０】
【図１】シート回収器全体の斜視図である。
【図２】要部の拡大図である
【図３】シート回収器全体の側面図である。
【発明を実施するための形態】
【００１１】
以下本発明の実施形態1〜３図に基づいて説明する、シート回収器は、外周に安全カバー１を設け、内方には先端呼び込みネジ２その奥には鋭い爪を前方に持つ、引掛け爪３を設け、特に溝が深い、引き込み溝４、そのドリルチャックに取り付ける軸５、の構成となっている。
【実施例１】
【００１２】
農業ハウスシート及び作物のシート等の取り外しを行う場合、すべて外さないで長手方向一端の止めを残し、もう一端は、ドリルチャック等に軸５を取付けした、シート回収器の安全カバー１の開口部からシート一端のみを内部に押し込み少し回転させることで、内部に設けた呼び込みネジ２又は引掛け爪３に引っ掛かる、引掛かけられたシート一端は回転させられ引き込み４に絡まり、安全カバー１内に引き込まれて行く、引き込まれたシート一端は前記２，３，４ドリル形状によってシートの必要以上の巻き込み引き込みを安全カバー１が防ぎ、且つ、より巻き付け絡みを強くするため外れにくい、シートが風により少し帆状にはらんでいる場合でも、連続回転により短時間で、空気が絞り出され細く縄状に絞り込まれ、更に、シートは長手方向に硬く２重にも3重にも瘤状に凝縮し固まる、取り外しの場合はドリルを逆回転すると安全カバー１内から引き込み溝４引掛け爪３呼び込みネジ２から容易にシートの取り外しができる、そして、瘤状に硬く絞り込まれたシート等は、長手方向共に硬く凝縮したままなので復元しない、復元力を失ったシート等は、瘤状に硬く固まってコンパクトになっているため、安全、簡単、迅速、効率的に回収作業が行えた。
【実施例２】
【００１３】
上記の呼び込みネジ２、引掛け爪３、引き込み溝４、の構成となって、どの部位によってもシート巻き付けが可能であるが、単体で、最も効果が良いのは鋭い爪を前方に持つ引掛け爪３、であるが、やはり単体では巻き込み引き込みが、不十分であり、巻込みに時間かかり、途中でシート端が外れる等の、事象が起こった。
２，３，４連結により強く巻き付け絡みをするために、効果的作業が行えるようになった。
【実施例３】
【００１４】
安全カバー１はシートの必要以上の巻き込み引き込み絡みを防ぎ、また、回転ブレ等により作業員の指等が巻き込まれる恐れがなくなり、安全カバー１は安心して作業が出来る重要な部位である。
【産業上の利用可能性】
【００１５】
農業分野・建設分野等の大型シートの凝縮回収リサイクル
【符号の説明】
【００１６】
１  安全カバー
２  呼び込みネジ
３  引掛け爪
４  引き込み溝
５  軸
【図１】
2017212895.tif 000003
【図２】
2017212895.tif 000004
【図３】
2017212895.tif 000005
(57)【要約】【課題】硬脆性を有する磁性体コアの特定部位を精度よく加工し、高精度で電気的特性を調整することのできるインダクタの製造方法の提供を目的とする。【解決手段】本発明のインダクタの製造方法は、中芯を有する磁性体コアとボビンとで構成されたインダクタにおいて、前記磁性体コアの特定部位に、均等にレーザを照射する工程を繰り返すことを特徴とした。【効果】本発明のインダクタの製造方法によれば、硬脆性を有する磁性体コアであっても、特定部位を精密に加工できるので、高い精度で電気的特性を調整することができる。【選択図】  図２
2017212386.tif 000002
【特許請求の範囲】
【請求項１】
中芯を有する磁性体コアとボビンとで構成されたインダクタにおいて
前記磁性体コアの特定部位に、均等にレーザを照射する工程を繰り返すことを特徴としたインダクタの製造方法。
【請求項２】
前記特定部位は、前記中芯であることを特徴とする、請求項１に記載のインダクタの製造方法。
【請求項３】
前記レーザを照射する工程は、不連続な軌跡でレーザを照射することを特徴とした、請求項１乃至請求項２に記載の磁性体コアの加工方法。
【発明の詳細な説明】
【技術分野】
【０００１】
本発明は、フェライトなどの硬脆性を有する磁性体コアを用いた、インダクタの製造方法に関する。
【背景技術】
【０００２】
フェライトを材料とした磁性体コアは、その利便性から、電子部品に広く利用されている。例えば、インダクタの巻芯に磁性体コアを用いることで、性能を向上させることができる。そして、磁性体コアの形状がインダクタの電気的特性に影響を与えることから、精度良く磁性体を加工する方法が求められている。
【発明の概要】
【発明が解決しようとする課題】
【０００３】
フェライトを材料とした磁性体コアは硬脆性を有しているので、圧力を加えると、変形せずに壊れてしまう。やすりを備えた研磨機で削ることにより、精度よく磁性体コアを加工することは可能である。しかし、高速で移動しているやすりに対象物を押しあてて加工するため、特定の部位のみを精度よく加工することは困難であった。
そこで本発明は、硬脆性を有する磁性体コアの特定部位を精度よく加工し、高精度で電気的特性を調整することのできるインダクタの製造方法の提供を目的とする。
【課題を解決するための手段】
【０００４】
本発明によるインダクタの製造方法は、中芯を有する磁性体コアとボビンとで構成されたインダクタにおいて、前記磁性体コアの特定部位に、均等にレーザを照射する工程を繰り返すことを特徴とした。
【発明の効果】
【０００５】
本発明のインダクタの製造方法によれば、硬脆性を有する磁性体コアであっても、特定部位を精密に加工できるので、高い精度で電気的特性を調整することができる。
【図面の簡単な説明】
【０００６】
【図１】本発明の実施例のインダクタで使用する磁性体コアを加工する工程を説明するための斜視図である。
【図２】磁性体コアの中足の底面に照射するレーザの軌跡を示す平面図である。
【図３】本発明の実施例のインダクタを組み立てる工程を説明するための斜視図である。
【図４】本発明の実施例のインダクタの斜視図である。
【発明を実施するための形態】
【実施例】
【０００７】
図１から図４を用いて、本発明の実施例による、インダクタの製造方法を説明する。図１（ａ）および図１（ｂ）は、本発明の実施例のインダクタで使用する磁性体コアの斜視図である。図２（ａ）および図２（ｂ）は、磁性体コアの中足の底面に照射するレーザの軌跡を示す図である。図３は本発明の実施例のインダクタを組み立てる工程を説明するための斜視図である。図４は本発明の実施例のインダクタの斜視図である。
【０００８】
本発明で使用する磁性体コアを説明する。図１（ａ）に示すように、本発明で使用する磁性体コア１は、直方体の外形を有する磁性体である。磁性体コア１は、ある一面に半円状の切り欠き１ａと、切り欠き１ａの内側からから外側に向かって突出する円柱形状の中芯と、を備えている。加工する前の磁性体コアは、中芯の底面と、切り欠き１ａを有する面の端部とが面一である。
【０００９】
磁性体コア１を加工する方法について説明する。磁性体コア１の中芯の底面に、レーザを照射し、加工する。一定時間以上レーザを照射すると、磁性体コアが溶けて不規則な凹凸が生じる。これを避けるように、磁性体コアが溶けない時間でレーザを照射する。
中芯の底面全体に均等にレーザを照射する。レーザの軌跡は、図１（ｂ）の破線に示すように、例えば縞状に照射する。このとき、図２（ａ）に示すように、連続した軌跡でレーザを照射すると、折り返しの部分で熱がこもり、コアが溶けてしまう可能性がある。このため、レーザの軌跡は、図２（ｂ）に示すように、一端から他端に向けてレーザを照射し、そこで一回レーザを止め、位置を変えた後に再度、一端から他端にレーザを照射することを繰り返すなど、熱がこもらないよう、不連続にレーザを照射することが望ましい。
加工された中芯を、中芯１ｂとする。中芯１ｂの底面と、切り欠き１ａを有する面の端部との間には、段差が生じる。この段差は、レーザの出力と照射回数によって、ナノメートルオーダーで制御することができる。
【００１０】
次に、加工した磁性体コアを用いて、インダクタを組み立てる工程について説明する。図３に示すように、ボビン２は、端子と巻芯２ａと空芯２ｂとを備えている。巻芯２ａは、インダクタのコイルを巻回するための巻軸で、内部に円柱形状の空芯２ｂを備えている。空芯２ｂの外径は、中芯１ｂの外径と略同じである。そして、空芯２ｂの巻軸方向の長さは、中芯１ｂの長さの２倍より僅かに大きい。
このボビン２の両側に、２つの磁性体コア１を、中芯１ｂの底面同士が対向するように配置する。そして、それぞれの磁性体コア１の中芯１ｂを、図４に示すように、空芯２ｂに挿入する。空芯２ｂの巻軸方向の長さは、中芯１ｂの長さの２倍より大きいので、中芯１ｂ同士の間にはギャップが生じる。ギャップの長さによって、インダクタの電気的特性は変化する。
【００１１】
実際にインダクタを作成する場合は、巻芯２ａに導線を巻回し、導線の両端を端子に電気的に接続する。そして、磁性体コア１をボビン２に挿入して、電気的特性を測定する。インダクタの電気的特性が規格内ならば磁性体コア１とボビン２を固定し、インダクタの電気的特性が規格外ならば、中芯１ｂを加工して電気的特性を調整する。
以上の工程を繰り返すことによって、精度良く電気的特性を調節できる、インダクタの製造方法を提供することができる。
【００１２】
やすりを用いて磁性体コアを研磨する場合、削られた磁性体コアの粉塵を除去するために、水で洗い流すなどの工程が必要となる。さらに、定期的にやすりを交換しなければならず、コスト高となる。そして、やすりを用いて磁性体コアを研磨すると、角に欠けが生じやすい。レーザを用いて磁性体コアを研磨すると、照射時の衝撃によって、削られた磁性体コアの粉塵が吹き飛ばされる。粉塵を除去する工程が必要ないので、手間とコストを省くことができる。
【符号の説明】
【００１３】
１  磁性体コア
１ａ  切り欠き
１ｂ  中芯
２  ボビン
２ａ  巻芯
２ｂ  空芯
【図１】
2017212386.tif 000003
【図２】
2017212386.tif 000004
【図３】
2017212386.tif 000005
【図４】
2017212386.tif 000006
(57)【要約】      （修正有）【課題】システム障害の緊急連絡等で複数の担当者のうちの一人へ電話連絡をつける必要がある場合、常に同じ順番で連絡をしても、先の担当者に連絡先が偏ることなく均等になるようにする。【解決手段】電話機が備える電話帳に登録されている複数の連絡先の電話番号に、分散する機能を付けて登録し、システム障害発生時に、分散する機能に従って連絡先を選択して、電話連絡を行うようにする。【選択図】図１
2017175241.tif 000002
【特許請求の範囲】
【請求項１】
電話機が複数の発信先に対して分散して発信する機能を持つ
【発明の詳細な説明】
【技術分野】
【０００１】
本発明は、電話機及びソフトウェアに関する。
【背景技術】
【０００２】
システム障害の緊急連絡等で複数の担当者のうちの一人へ電話連絡をつける必要がある場合、常に同じ順で連絡をすると順番が先の担当者に連絡先が偏る。
【０００３】
連絡先を振り分ける為のシステムを用意すると、ステムの運用管理にコストがかかる。
【０００４】
連絡先を振り分ける為に外部のサービスを利用すると、情報漏えいのリスクが発生する。
【０００５】
連絡先を振り分ける為に、連絡用の携帯電話等の端末を用意し、担当者に持ち回りで渡すと、その端末の費用や、担当者が複数の端末を持ち歩く手間がかかる。
【０００６】
本発明は電話機の発信側で連絡先を分散して、連絡先の偏りを減らす仕組みである。
【発明の概要】
【発明が解決しようとする課題】
【０００７】
小規模な組織では連絡先の偏りを解消するために、システムの導入や端末の購入等のコストをかけたくない。
【０００８】
本発明では電話機に連絡先をコントロールする機能を持たせることで連絡先の偏りを解消する。
【課題を解決するための手段】
【０００９】
電話機1は電話帳2と電話帳に登録されている電話番号3とソフトウェア4を持つ。ソフトウェア4は発信先を分散する処理をする処理5と、電話番号3への対応情報を記録した電話番号対応情報7をいくつかまとめてグループ化したグループ6からなる。
【００１０】
電話機1でソフトウェア4を使い、グループ6に対して発信することで、処理5がグループ6にある電話番号対応情報7を分散して一つ選択し、電話番号対応情報7に対応する電話番号3を電話機1へ返す。
【００１１】
選択された電話番号3に対して電話機1で発信する。
【発明の効果】
【００１２】
連絡先を振り分けるシステムを導入する必要が無く、運用コストが減る。
【００１３】
連絡先を振り分ける外部のサービスを利用する必要が無く、情報漏えいのリスクが減る。
【００１４】
連絡用を振り分ける為の端末を用意する必要がない。
【図面の簡単な説明】
【００１５】
【図１】本発明の電話機の概略構成を示すブロック図である。
【産業上の利用可能性】
【００１６】
連絡先を振り分ける機能を持つ端末として、固定電話、携帯電話、スマートフォンに適用可能である。
【符号の説明】
【００１７】
１  電話機
２  電話帳
３  電話番号
４  ソフトウェア
５  処理
６  グループ
７  電話番号対応情報
【図１】
2017175241.tif 000003
【手続補正書】
【提出日】平成29年3月8日(2017.3.8)
【手続補正１】
【補正対象書類名】特許請求の範囲
【補正対象項目名】請求項１
【補正方法】変更
【補正の内容】
【請求項１】
電話機が複数の発信先に対して、ランダムではなく、ソフトウェアにより振り分けることで、分散して発信する機能を持つ方法
【手続補正２】
【補正対象書類名】明細書
【補正対象項目名】０００３
【補正方法】変更
【補正の内容】
【０００３】
連絡先を振り分ける為のシステムを用意すると、システムの運用管理にコストがかかる。
【手続補正３】
【補正対象書類名】明細書
【補正対象項目名】００１４
【補正方法】変更
【補正の内容】
【００１４】
連絡先を振り分ける為の端末を用意する必要がなく、既存の端末に機能として追加することができる。
(57)【要約】【課題】  従来、家電品を使う時、電気炬燵・暖房器具・扇風機等のその配線は、保護カバー等付けず床に這わしたまま使用している、この配線コードに引っ掛かり配線が外れたり、転んだりしない様にする物である。【解決手段】配線プロテクターカバー本体の上部は半円状に設け、カバー本体の両端に固定盤を設け、固定盤の下面には両面テープを貼り付ける、下面は配線コードを収納する通し溝を設け、カバー両端には貫通穴を複数設けた家電器配線プロテクターモール。【選択図】図１
2017175895.tif 000002
【特許請求の範囲】
【請求項１】
（イ）配線プロテクターカバー本体の上部は半円状に設け、カバー本体両端に固定盤を設け、
（ロ）固定盤の下面には両面テープを貼り付ける、
（ハ）下面には配線コードを収納する通し溝を設け、
（二）カバー両端には貫通穴を複数設ける、
以上のように構成された、家電器配線プロテクターモール。
【発明の詳細な説明】
【技術分野】
【０００１】本発明は、家庭内の電器器具を使う時、器具の配線を床に這わしたままにして使っている。この配線に引っ掛からないようにするものである。
【背景技術】
【０００２】従来、炬燵・ストーブ・扇風機等使う時、器具から電気差込口より器具のコードを其の儘床に這わしたまま使用している。
【先行技術文献】
【特許文献】
【０００３】
【特許文献１】特開２０１２−１３５１８１号公報
【発明の概要】
【発明が解決しようとする課題】
【０００４】電気器具コードは、何時も床に吸い付いているのではなく。楕円に成っていたり、又、他のものによって、浮き上っていたりしている場合があるので歩行時に危険である、  本発明は、これらの欠点を無くすためになされた物である。
【課題を解決するための手段】
【０００５】（イ）配線プロテクターカバー本体の上部は半円状に設け、カバー両端に固定盤を儲け、
（ロ）固定盤の下面には両面テープを貼り付ける、
（ハ）下面は配線コードを収納する通し溝を設ける、
（二）カバー両端には畳鋲打ち込みの貫通穴を複数設ける、
以上のように構成された、家電器配線プロテクターモール。
【発明の効果】
【０００６】本発明で、夜・昼・問わず安心して歩ける。又、掃除機等使う時引っ掛からなくなりました。
【図面の簡単な説明】
【０００７】
【図１】本発明の側面図である。
【図２】本発明の斜視図である。
【発明を実施するための形態】
【０００８】  以下、発明を実施するための形態について説明する。
（イ）図１に示されているように、配線プロテクターカバー本体（１）の、上部は半円状で、カバーの両端には固定盤（３）を有してある。
（ロ）この固定盤（３）を畳床に設置する場合は、畳鋲打ち込み穴（５）より畳鋲を打ち込み床に固定する。
（ハ）固定盤（３）の下面（４）にはフローリングの床等の場合、短い両面テープを下面（４）の各所に貼り固定する。
（二）図２では、下面（２）には、配線コード（６）の通し溝（７）が設けてあり、配線コードを床に置き本発明のプロテクターモールの通し溝（７）を被せ固定する。
本発明を使用する時は寸法が長い時には、金切ノコ刃で切断し使用する。
【符号の説明】
【０００９】１  配線プロテクターカバー本体、２  下面、３  固定盤面、４  下面、
５  畳鋲打ち込み穴、６  配線コード、７  通し溝。
【手続補正書】
【提出日】平成28年8月4日(2016.8.4)
【手続補正１】
【補正対象書類名】図面
【補正対象項目名】全図
【補正方法】追加
【補正の内容】
【図１】
2017175895.tif 000003
【図２】
2017175895.tif 000004
(57)【要約】【課題】味、香り及び歯応えの調和がとれた味わい深い舞茸飯を内包した餅を提供する。【解決手段】餅と、舞茸飯と、から構成され、前記餅は、舞茸飯を内包しており、前記舞茸飯は、舞茸と、うるち米と、から構成され、前記舞茸は、手で割いてあり、歯応えがしっかりと感じられる３ｍｍから７ｍｍの厚さのものを含む。【選択図】      図１
2017175930.tif 000002
【特許請求の範囲】
【請求項１】
冷却硬化しているものを、表面に焦げ目が付くほどに焼き、焼餅として食する餅であって、
餅と、舞茸飯と、から構成され、
前記餅は、舞茸飯を内包しており、
前記舞茸飯は、舞茸と、うるち米と、から構成され、舞茸は、手で割いてあり、歯応えがしっかりと感じられる３ｍｍから７ｍｍの厚さのものを含むことを特徴とする舞茸飯を内包した餅。
【発明の詳細な説明】
【技術分野】
【０００１】
本発明は、内包する具材として舞茸飯を用いる餅に関する。
【背景技術】
【０００２】
従来より、餅の中に小豆を甘く煮た餡を入れたあんこ餅がある。また、餅の中に他の甘い具材を入れた大福餅等がある。これらは間食として、つまり、補助的な食事として摂るには良いが、毎日の食事に取り入れるには適していない。
【発明の概要】
【発明が解決しようとする課題】
【０００３】
そこで、餅の中に具材として惣菜類を入れる方法があるが、惣菜類と餅とが全く異質のものである場合、単に、餅に惣菜類を入れただけでは、餅と具材との調和を図ることは困難であり、餅に具材を内包して一体的に食することの意義が失われてしまう。一方で、餅の原料に程近い米飯類を具材として餅に内包した場合は、餅と具材との調和は図れるものの、食品の美味さを構成する重要な要素である食感が感じられないものとなってしまう。
【０００４】
本発明は、上記実情を鑑みたものであり、きのこ類の中でも味や香り、歯応えの良い舞茸を舞茸飯として内包することにより、味、香り、及び歯応え等の食品全体としての調和がとれた味わい深い餅を提供することを目的とする。
【課題を解決するための手段】
【０００５】
本発明は、冷却硬化しているものを、表面に焦げ目が付くほどに焼き、焼餅として食する餅であって、餅と、舞茸飯と、から構成され、前記餅は、舞茸飯を内包しており、前記舞茸飯は、舞茸と、うるち米と、から構成され、前記舞茸は、手で割いてあり、歯応えがしっかりと感じられる３ｍｍから７ｍｍの厚さのものを含むことを特徴とする。
【発明の効果】
【０００６】
本発明の舞茸飯を内包した餅を焼いて食することで、舞茸飯単独や餅単独では味わえない、もち米の香ばしい風味と舞茸飯の風味が調和した深い味わいが醸し出されるため、消費者の食欲を増進させることができる。
また、餅に味付けした舞茸のみを入れた場合と比べて、舞茸の出汁を含む飯が餅と舞茸とを繋ぎ、餅と具材の調和を図るため、餅と舞茸飯との一体的な美味さを味わうことができる。
さらに、舞茸飯の舞茸は肉厚のものが用いられているため、餅と一体として食しても、舞茸のサクサクとした歯ごたえがしっかりと感じられるため、食欲をより増進させることができる。
【図面の簡単な説明】
【０００７】
【図１】本願発明の断面を示す斜視図である。
【発明を実施するための形態】
【０００８】
本発明の舞茸飯を内包した餅の製法を以下に示す。なお各材料は、舞茸８００ｇに対する分量で示す。
【０００９】
舞茸飯２の舞茸３は、調理後もしっかりとした歯応えが残るよう、肉厚のものを用いる。この肉厚の舞茸３を割いておく。ここで舞茸３を包丁で切ってしまうと、肉厚の舞茸３に味が滲み込みにくくなってしまうため、人の手で割くことが重要である。次に、鍋へ割いた舞茸３を入れ、松茸の味お吸いもの（株式会社永谷園製）６食分、ほんだし（味の素株式会社製）小さじ３、砂糖大さじ２、薄口醤油おたま２杯分、水６００ｍｌを入れて加熱し、必要であれば水をさらに少量加えて味を調整した後、舞茸３によく味が滲み込むまで２０分以上煮る。調味料の分量に特に制限はないが、一般的な舞茸飯における舞茸よりも、濃い味に味付られることが望ましい。調理後の舞茸３は、歯ごたえがしっかりと感じられるほどの厚みがあり、その厚みが３ｍｍから７ｍｍであるものが多く含まれることが望ましい。
【００１０】
味付けられた舞茸３と、煮汁とを分ける。煮汁には適当な分量の水を足して、洗米して水を切ったうるち米４合とあわせ、一般的な炊飯方法と同様に炊き上げる。煮汁が少ない場合は調味料を足して、炊き上がった飯がやや濃い味になるよう調整することが望ましい。また、やや水分量を少なくし、固めに炊きあがるよう調整することが望ましい。柔らかいと、餅に包む際にべたついて作業性が悪く、食感も損なうためである。
【００１１】
炊き上がった飯に、分けておいた舞茸３を混ぜることで、舞茸飯２が出来上がる。この舞茸飯２を適当な大きさに丸め、自然冷却させる。熱いうちに餅１で包むと、餅１の内部に水蒸気が閉じ込められ、食感を損なうためである。
【００１２】
次に、餅１は、もち米１升にうるち米２合を混ぜ、適量の水を併せて一般的な公知の製法により作られるが、もち米とうるち米が炊き上がった後、搗く前に小さじ１の塩を加えることで、餅１がより深い味わいになる。餅１は搗きたてで、熱く柔らかいうちに舞茸飯２を包まなければならないため、餅１を搗く前に舞茸飯２を用意しておくことに留意する。
もち米１升に対してうるち米２合を添加するのは、歯切れよく、喉に詰まらせるおそれを低減させるためである。
【００１３】
餅１が出来上がると、熱く柔らかいうちに適当な大きさに切り分け、薄く伸ばした後中央に丸めた舞茸飯２を置き、これを包んで平面視丸形状に形を整え、自然冷却することにより、本発明の舞茸飯を内包した餅が複数個得られる。舞茸飯を内包した餅は、一つ当たり約１００ｇの大きさが好ましい。
【００１４】
以上のように得られた舞茸飯を内包した餅は、自然冷却により硬化した状態であるが、オーブントースター等の調理器具にて表面に焦げ目が付くほどに焼き、焼餅として食するものである。なお、冷蔵にて約１週間、冷凍にて約半年保存することが可能である。
【００１５】
本発明の舞茸飯を内包した餅は、上記の実施形態に限定されるものではなく、本発明の要旨の範囲内で変更可能である。
【符号の説明】
【００１６】
１    餅
２    舞茸飯
３    舞茸
【図１】
2017175930.tif 000003
【手続補正書】
【提出日】平成28年4月11日(2016.4.11)
【手続補正１】
【補正対象書類名】明細書
【補正対象項目名】００１４
【補正方法】変更
【補正の内容】
【００１４】
以上のように得られた舞茸飯を内包した餅は、自然冷却により硬化した状態であるが、オーブントースター等の調理器具にて表面に焦げ目が付くほどに焼き、焼餅として食するものである。